(57)【特許請求の範囲】
【請求項１】
逆Ｕ字状のＵ字形釘と、該Ｕ字形釘に装着される配線保持部材とを備え、該Ｕ字形釘を被固定部に打ちつけて該配線保持部材を介して光ファイバケーブルを保持する配線保持具において、
該配線保持部材には、両側に該Ｕ字形釘を挿入するための釘孔を設けた釘挿入部と、光ファイバケーブルを収容するための保持用凹部が設けられ、光ファイバケーブルと該配線保持部材の上面を覆う押え蓋部がヒンジ部を介して開閉可能に該配線保持部材と一体に設けられ、該押え蓋部の内側に設けた空間内に、該保持用凹部内の光ファイバケーブルを弾性をもって押えるための弾性押え部が、該光ファイバケーブルの軸方向に沿って且つ傾斜撓み部を介して橋設するように一体成形され、該弾性押え部の中央押え面に中央凹部が形成され、該配線保持部材には、該押え蓋部を閉じたとき、係止される係止部が該配線保持部材または該押え蓋部に設けられ、該配線保持部材の保持用凹部の内側には、複数の凸条爪部が光ファイバケーブルの軸と直角方向に形成されたことを特徴とする配線保持具。
【請求項２】
小釘と配線保持部材とを備え、該小釘により該配線保持部材を被固定部に打ちつけ、該配線保持部材を介して光ファイバケーブルを保持する配線保持具において、
該配線保持部材には、両側に該小釘を挿入するための釘孔を設けた釘挿入部と、光ファイバケーブルを収容するための保持用凹部が設けられ、光ファイバケーブルと該配線保持部材の上面を覆う押え蓋部がヒンジ部を介して開閉可能に該配線保持部材と一体に設けられ、該押え蓋部の内側に設けた空間内に、該保持用凹部内の光ファイバケーブルを弾性をもって押えるための弾性押え部が、該光ファイバケーブルの軸方向に沿って且つ傾斜撓み部を介して橋設するように一体成形され、該弾性押え部の中央押え面に中央凹部が形成され、該配線保持部材には、該押え蓋部を閉じたとき、係止される係止部が該配線保持部材または該押え蓋部に設けられ、該配線保持部材の保持用凹部の内側には、複数の凸条爪部が光ファイバケーブルの軸と直角方向に形成されたことを特徴とする配線保持具。
【請求項３】
木ねじと配線保持部材とを備え、該木ねじにより該配線保持部材を被固定部に締付固定し、該配線保持部材を介して光ファイバケーブルを保持する配線保持具において、
該配線保持部材には、片側に該木ねじを挿入するための孔を設けた挿入部と、光ファイバケーブルを収容するための保持用凹部が設けられ、光ファイバケーブルと該配線保持部材の上面を覆う押え蓋部がヒンジ部を介して開閉可能に該配線保持部材と一体に設けられ、該押え蓋部の内側に設けた空間内に、該保持用凹部内の光ファイバケーブルを弾性をもって押えるための弾性押え部が、該光ファイバケーブルの軸方向に沿って且つ傾斜撓み部を介して橋設するように一体成形され、該弾性押え部の中央押え面に中央凹部が形成され、該配線保持部材には、該押え蓋部を閉じたとき、係止される係止部が該配線保持部材または該押え蓋部に設けられ、該配線保持部材の保持用凹部の内側には、複数の凸条爪部が光ファイバケーブルの軸と直角方向に形成されたことを特徴とする配線保持具。
【請求項４】
両面粘着テープと配線保持部材とを備え、該両面粘着テープにより該配線保持部材を被固定部に取着し、該配線保持部材を介して光ファイバケーブルを保持する配線保持具において、
該配線保持部材には光ファイバケーブルを収容するための保持用凹部が設けられ、光ファイバケーブルと該配線保持部材の上面を覆う押え蓋部がヒンジ部を介して開閉可能に該配線保持部材と一体に設けられ、該押え蓋部の内側に設けた空間内に、該保持用凹部内の光ファイバケーブルを弾性をもって押えるための弾性押え部が、該光ファイバケーブルの軸方向に沿って且つ傾斜撓み部を介して橋設するように一体成形され、該弾性押え部の中央押え面に中央凹部が形成され、該配線保持部材には、該押え蓋部を閉じたとき、係止される係止部が該配線保持部材または該押え蓋部に設けられ、該配線保持部材の保持用凹部の内側には、複数の凸条爪部が光ファイバケーブルの軸と直角方向に形成され、該配線保持部材の底部が該両面粘着テープによって被固定部に取着されることを特徴とする配線保持具。
【発明の詳細な説明】
【０００１】
【発明の属する技術分野】
本発明は、光ファイバケーブルを、屋内、屋外、或いは配線盤内に配線する際に使用する屋内・屋外配線用の配線保持具に関する。
【０００２】
【従来の技術】
ステップルは、従来、電力線や通常の電話線を屋内の壁や柱に沿って配線する際に、広く汎用的に使用されている。
【０００３】
近年、電話配線について、光ファイバケーブルへの移行が促進されつつあり、電話加入者の宅内配線においても、光ファイバケーブルが敷設される場合が増加している。
【０００４】
【発明が解決しようとする課題】
光ファイバケーブルを電話加入者の宅内電話線に使用する場合、光ファイバケーブルを屋内や屋外の壁或いは柱に沿って配線する際、従来の電話線と同様に、ステップルを用いてケーブルを止めることになる。
【０００５】
しかし、電気配線や電話線用の従来のステップルを使用して、電気配線と同様に光ファイバケーブルを止める場合、金槌でステップルを打ち付けて光ファイバケーブルを止めることになり、金槌の打撃力やその衝撃がケーブルに直接印加される。このために、光ファイバケーブルの芯線は、金属線に比べ脆弱であるから、金槌の打撃力やその衝撃或いは釘による荷重を加えすぎると、光ファイバが破損したり、光伝送損失が増大する問題があった。
【０００６】
本発明は、上記の点に鑑みてなされたもので、光ファイバケーブルを壁や柱などに良好に止めて保持することができる配線保持具を提供することを目的とする。
【０００７】
【課題を解決するための手段】
上記目的を達成するために、本発明の請求項１の配線保持具は、逆Ｕ字状のＵ字形釘と、Ｕ字形釘に装着される配線保持部材とを備え、Ｕ字形釘を被固定部に打ちつけて配線保持部材を介して光ファイバケーブルを保持する配線保持具において、配線保持部材には、両側にＵ字形釘を挿入するための釘孔を設けた釘挿入部と、光ファイバケーブルを収容するための保持用凹部が設けられ、光ファイバケーブルと配線保持部材の上面を覆う押え蓋部がヒンジ部を介して開閉可能に配線保持部材と一体に設けられ、押え蓋部の内側に設けた空間内に、保持用凹部内の光ファイバケーブルを弾性をもって押えるための弾性押え部が、光ファイバケーブルの軸方向に沿って且つ傾斜撓み部を介して橋設するように一体成形され、弾性押え部の中央押え面に中央凹部が形成され、配線保持部材には、押え蓋部を閉じたとき、係止される係止部が配線保持部材または押え蓋部に設けられ、配線保持部材の保持用凹部の内側には、複数の凸条爪部が光ファイバケーブルの軸と直角方向に形成されたことを特徴とする。
【０００８】
【作用】
上記構成の配線保持具は、先ず、押え蓋部を開いた状態で、配線保持部材の釘挿入部にＵ字形釘を挿入し、そのＵ字形釘を壁面等のケーブルを敷設する位置の被固定部に打ちつける。次に、配線保持部材の保持用凹部内に光ファイバケーブルを入れ、その上に押え蓋部を閉じて被せるように嵌着する。押え蓋部はヒンジ部を介して配線保持部材に一体に成形されているため、そのヒンジ部を介して配線保持部材と光ファイバケーブルの上を覆うように閉じれば、簡単に光ファイバケーブルと配線保持部材上を押え蓋部で覆い閉鎖することができる。
【０００９】
この状態で、光ファイバケーブルは配線保持部材と押え蓋部との間で挟持されるから、充分な抜け耐力を持って良好に保持される。このように、Ｕ字形釘で配線保持部材を所定の位置に打ち付けた後、光ファイバケーブルを固定するから、金槌の衝撃力や打撃力を光ファイバケーブルに印加する虞がなく、脆弱で損失の生じやすい光ファイバケーブルであっても、敷設時の光ファイバケーブルの破損や光伝送損失の増加を防止することができる。
【００１０】
また、押え蓋部の内側に弾性押え部が設けられ、弾性押え部により保持用凹部内の光ファイバケーブルを適度な弾性力をもって押えることができ、光ファイバの芯線は過大な荷重を受けることがなく、荷重による芯線の破損や光伝送損失の増加は防止される。さらに、押え蓋部の係止部を配線保持部材または押え蓋部に設けているため、配線保持部材の上に押え蓋部を閉じたとき、係止部によって押え蓋部を確実に配線保持部材上に閉鎖状態で係止することができる。
【００１１】
【発明の実施の形態】
以下、本発明の実施の形態を図面に基づいて説明する。図１は配線保持具の正面図を、図２はその平面図を示し、図３は配線として光ファイバケーブルを保持した状態の正面図を、図４はその側面図を示している。この配線保持具は、通常のＵ字形釘１と、押え蓋部３を一体に設けた配線保持部材２とから構成される。
【００１２】
配線保持部材２上には、ケーブルを保持するための保持用凹部５が設けられ、その右側にＵ字形釘１を差し込むための釘挿入部６が形成される。図５に示すように、釘挿入部６には、Ｕ字形釘１を挿入するための２個の釘孔６ａ、６ｃが縦に穿設されると共に、２個の釘孔６ａ、６ｃを水平部で連通させるように、Ｕ字形釘１の上部を挿入するための挿入溝６ｂが形成され、さらにその中間部に小釘を挿入するための小釘孔６ｄが縦に穿設されている。小釘はプラスターボードなどの打ち付けに使用される小径の釘である。釘孔６ａの内径は、Ｕ字形釘１の外径より僅かに小径とされ、配線保持部材２がＵ字形釘１から容易に外れないようにしている。
【００１３】
また、挿入溝６ｂの深さは、Ｕ字形釘１の外径の約半分に設定され、Ｕ字形釘１を挿入したとき、図１のように、Ｕ字形釘１の上端部が溝から上方に突出するようにしている。これにより、金槌でＵ字形釘１の上端部を打ち付けたとき、金槌の打撃力がＵ字形釘１の上端部に直接印加され、釘を打ち込みやすくしている。また、Ｕ字形釘１の一方が挿入される釘孔６ｃは、木ねじを挿入可能なように、より大径に形成されると共に、上部に木ねじの頭部を収容する凹部が形成されている。
【００１４】
配線保持部材２には、ヒンジ部４を介して押え蓋部３が開閉可能に一体形成され、押え蓋部３は、閉鎖時に配線保持部材２上に被嵌されたとき、内側に挿入された光ファイバケーブルＰを覆い且つ挟持するように形成されている。すなわち、押え蓋部３の内側には、空間３ａが形成されると共に、閉鎖時に保持用凹部５内の光ファイバケーブルＰを弾性を持って押圧・保持するための弾性押え部１１が形成される。この弾性押え部１１は、図６に示すように、押え蓋部３の内側の空間３ａ内に、両側から橋を渡して橋設するように設けられる。また、弾性押え部１１の中央に中央凹部１１ａが形成され、両側の橋設された部分には傾斜撓み部１１ｂが設けられる。
【００１５】
この中央凹部１１ａは、押え蓋部３が下からの荷重を受けたとき最初に撓むように、その厚さが約０．５mmと薄く設定され、さらに荷重を受けたとき続いて傾斜撓み部１１ｂが撓み弾性変形するように、傾斜撓み部１１ｂの厚さは約０．７mmと薄く設定されている。さらに、弾性押え部１１の下面（押え面）には複数本の凸条爪部が形成されている。このような押え蓋部３を有する配線保持部材２は、ポリカーボネート、ポリプロピレン等の合成樹脂を用いて一体成形することができる。
【００１６】
保持用凹部５は、そこに保持する最大外形の光ファイバケーブルの断面形状に合わせて形成され、適用する最大外形の光ファイバケーブルの断面の寸法（ケーブルの厚さと幅）に対応して、適用するケーブルの厚さと幅に合うように、形成されている。また、この配線保持具は、厚さ方向に弾性変形可能な弾性押え部１１を設けることにより、最小厚さＡから最大厚さＢまでのケーブルを適正に保持することができる構造となっている。さらに、保持用凹部５の内側には、複数本の凸条爪部５ａが配線の軸と直角方向に突設・形成される。この凸条爪部５ａは、図６に示すように、断面が三角形状に形成され、配線の軸方向への移動を阻止して良好に保持することができる。
【００１７】
更に、押え蓋部３の端部には、配線保持部材２の上に被せるようにそれを被嵌したとき、係止するための係止爪１０が突設される。そして、配線保持部材２の端部には、この係止爪１０が係止される係止受け部７が形成され、押え蓋部３の閉鎖・保持状態はそれらの係止によって確保される。
【００１８】
このような構造の配線保持具は、屋内配線用の光ファイバケーブルや金属配線などの配線を壁面、柱、天井等に沿って敷設する際に使用される。光ファイバケーブルＰの場合は、図１の如く、略矩形の断面形状を有し、中央に芯線を配置してそれを被覆層で被覆すると共に、被覆層内の両側にテンションメンバ（ばね弾性を有する金属線）を挿入して構成される。
【００１９】
光ファイバケーブルを敷設する場合、先ず、配線保持具の押え蓋部３を開いた状態で、図１のように、配線保持部材２の釘挿入部６にＵ字形釘１を挿入し、そのＵ字形釘１を壁面等のケーブルを敷設する位置の被固定部に打ち付ける。
【００２０】
次に、配線保持部材２の保持用凹部５内に光ファイバケーブルＰを入れ、その上に押え蓋部３をヒンジ部４を介して閉じるように回動させ、端部の係止爪１０を配線保持部材２側の係止受け部７に係止させ、配線保持部材２上に押え蓋部３を被嵌させる。このとき、押え蓋部３はヒンジ部４を介して配線保持部材２に一体に成形されているため、そのヒンジ部４を介して配線保持部材２とケーブルＰの上を覆うように閉じれば、簡単にケーブルＰと配線保持部材２上を押え蓋部３で覆い被嵌することができる。
【００２１】
これで、光ファイバケーブルＰは配線保持部材２の保持用凹部５内と押え蓋部３の弾性押え部１１との間で挟持された状態となる。特に、図１のように、光ファイバケーブルＰの外形の厚さが厚さＡのように比較的小さい場合、弾性押え部１１は、その中央凹部１１ａが撓み、そこにばね弾性を生じさせてケーブルを保持し、光ファイバケーブルＰの外形の厚さが厚さＢのように比較的大きい場合、弾性押え部１１は、その両側の傾斜撓み部１１ｂが撓み、そこにばね弾性を生じさせてケーブルを保持するから、予め設定した適用可能な最大外形から最小外形までの複数種の光ファイバケーブルＰを良好に挟持し保持することができる。そして、配線保持部材２はＵ字形釘１により所定の敷設位置に打ち付け固定されているから、充分な抜け耐力を持ってケーブルが保持・固定されることになる。
【００２２】
このように、Ｕ字形釘１で配線保持部材２を敷設位置に打ち付けた後、光ファイバケーブルＰを固定するので、金槌の衝撃力や打撃力を光ファイバに印加する虞がなく、敷設時の光ファイバの破損や光伝送損失の増加を防止することができる。
【００２３】
また、このとき、押え蓋部３の内側に弾性押え部１１が設けられているから、この弾性押え部１１により保持用凹部５内の光ファイバケーブルＰを適度な弾性力をもって押えることができ、ケーブルＰ内の光ファイバの芯線は過大な荷重を受けることがなく、荷重による芯線の破損や光伝送損失の増加は防止される。
【００２４】
また、配線保持部材２の保持用凹部５の内側に、光ファイバケーブルＰを保持するための複数の凸条爪部５ａが設けられているから、光ファイバケーブルＰの配線保持部材２内における軸方向への移動を阻止して、確実に安定して配線を保持することができる。
【００２５】
さらに、押え蓋部３の係止爪１０が配線保持部材２の係止受け部７に係止されるから、配線保持部材２の上に押え蓋部３を閉じたとき、係止爪１０と係止受け部７によって押え蓋部３を確実に配線保持部材２上に閉鎖状態で係止し、その状態を確実に保持することができる。
【００２６】
さらに、光ファイバケーブルＰをステップルから外す場合は、係止爪１０を係止受け部７から外して押え蓋部３を配線保持部材２から開けば、Ｕ字形釘１を抜かずに、光ファイバケーブルＰを容易に外すことができる。
【００２７】
一方、この配線保持具は、図７に示すように、小釘Ｎを使用してその配線保持部材２を被固定部に打ち付けて固定することもできる。建材に使用されるプラスターボードやモルタルボードなどでは、釘打ちによる破損などを防止するために、小釘が使用されるが、そのようなボードに配線保持具を打ちつける場合は、このような小釘Ｎを配線保持部材２の中央の細い釘孔６ｄに差し込んで打ち付けて使用する。また、この場合、右隣の釘孔６ａにも小釘Ｎを差し込んで打ち付けておく。これによって、プラスターボードやモルタルボードなどの建材でも、配線保持具を小釘を用いて安全に打ち付けることができる。
【００２８】
さらに、この配線保持具は、図８に示すように、木ねじＭを使用してその配線保持部材２を被固定部に打ち付けて固定することもできる。木ねじＭを使用する場合、配線保持部材２の左側の孔６ｃに木ねじＭを挿入し、被固定部の木部などにねじ込んで配線保持部材２を固定する。配線盤の内部に配線を固定する場合、狭い場所のために金槌を使用して釘を打ちつけることが難しい場合があるが、このような場合には、木ねじＭを配線保持部材２の孔６ｃに差し込み、木部などにねじ込んで配線保持具を良好に固定することができる。
【００２９】
さらに、この配線保持具は、図９に示すように、両面粘着テープＴを使用してその配線保持部材２を被固定部に固定することもできる。被固定部が金属、ガラス、石材などの釘やねじを打ち込めない場合があるが、このような場合には、配線保持部材２の底面に両面粘着テープＴを粘着させ、それを図９のように、被固定部に取着する。これにより、配線の被固定部が金属、ガラス、石材などの釘やねじを打ち込めない場合であっても、配線保持部材２を被固定部に固定することができ、その箇所で配線を保持することができる。
【００３０】
【発明の効果】
以上説明したように、本発明の配線保持具によれば、釘などを打ち付ける際の金槌の打撃力や保持力が、光ファイバケーブルに直接印加されることがなく、敷設時の光ファイバの破損や光伝送損失の増加を防止することができ、これにより、光ファイバケーブルの芯線を安全に保持すると共に、光ファイバケーブルを良好に止めることができる。
【図面の簡単な説明】
【図１】  本発明の一実施形態を示す配線保持具の開放状態の正面図である。
【図２】  同配線保持具の平面図である。
【図３】  押え蓋部を閉じた状態の正面図である。
【図４】  押え蓋部を閉じた状態の側面図である。
【図５】  配線保持部材のV-V断面図である。
【図６】  図３のVI-VI断面図である。
【図７】  他の実施形態の配線保持部材の断面図である。
【図８】  他の実施形態の配線保持部材の断面図である。
【図９】  他の実施形態の配線保持部材の断面図である。
【符号の説明】
１−Ｕ字形釘
２−配線保持部材
３−押え蓋部
４−ヒンジ部
５−保持用凹部
６−釘挿入部
７−係止受け部
１０−係止爪
１１−弾性押え部
Ｐ−光ファイバケーブル
【図１】
0003841707.tif 000002
【図２】
0003841707.tif 000003
【図３】
0003841707.tif 000004
【図４】
0003841707.tif 000005
【図５】
0003841707.tif 000006
【図６】
0003841707.tif 000007
【図７】
0003841707.tif 000008
【図８】
0003841707.tif 000009
【図９】
0003841707.tif 000010